(57)【要約】【課題】構成部品点数が少なく機構が簡単で、清掃性が向上した冷たい貯水タンク付の給水器を提供する。【解決手段】扉内棚部に設けた貯水タンク１９と、扉１４の前面部に設けた給水器１８と、その間を接続する給水パイプ２０を備え、貯水タンク１９を扉内棚１６から間隔２３を置いて設けることにより、構成部品点数が少なく、機構も簡単で、コストが安く、且つ給水した水の冷却スピードが速く、清掃性の良い給水器付き冷蔵庫を提供することができるものである。【選択図】図２
2006064240.tif 000002
【特許請求の範囲】
【請求項１】
直冷式の冷却器を備えた本体と、開閉自在の冷蔵庫扉と、前記冷蔵庫扉の内側の上棚部に設けた貯水タンクと、冷蔵庫扉の外側に設けた給水器と、その間を接続する給水パイプを備え、貯水タンクと扉内面の断熱壁とが接触しない様に隙間を設けて、冷気を対流させることを特徴とする冷蔵庫。
【請求項２】
貯水タンクの側面に凹凸部を設けて、扉内面の断熱壁との間に隙間を設けると共に、貯水タンクの表面積を広げた請求項１に記載の冷蔵庫。
【請求項３】
貯水タンクの底面を外から中へ向かって傾斜させ、貯蔵水量が減ったときには収納した水が庫内側に残るようにした請求項２に記載の冷蔵庫。
【請求項４】
貯水タンクに冷気対流用の貫通穴を設けて、冷気の対流を促進・表面積を増加させた請求項１に記載の冷蔵庫。
【請求項５】
貯水タンクの冷却器側の外側面に水平方向のリブを設けて、冷気が貯水タンクに近傍に滞留した後に、下部の庫内棚を冷却する様にした請求項４に記載の冷蔵庫。
【請求項６】
貯水タンクの直下の扉棚と、露受け皿との間隔を他の棚間より小さくし、冷気が貯水タンクに近傍に滞留した後に、下部の庫内棚を冷却する様にした請求項５に記載の冷蔵庫。
【発明の詳細な説明】
【技術分野】
【０００１】
本発明は、冷蔵庫の扉の内側に配設された貯水タンクから扉の外側へ冷水を供給する給水装置を備えた冷蔵庫に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図８は、特許文献１に記載された従来の給水装置を示すものである。図８に示すように冷蔵庫本体１の扉２と、貯水タンク３と、キャップ４と、給水パイプ５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、貯水タンクに給水された水をすばやく冷却し、低温（約０℃）に保温することができるようにした給水装置を備えた冷蔵庫を提供することを目的とする。
【課題を解決するための手段】
【０００８】
上記従来の課題を解決するために、本発明の冷蔵庫は扉内側の上棚部に設けた貯水タンクと、扉の外側に設けた給水器と、その間を接続する給水パイプを備えて有する冷蔵庫において、貯水タンクを扉内面の断熱壁とが接触しない様に設置し、貯水タンクの周囲を冷気が対流する様にすると共に、庫外からの熱進入により温度が上昇しないようにしたものである。
【０００９】
これによって、貯水タンクの水が速く冷え、使い勝手の良い急冷室給水器付き冷蔵庫を提供できる。
【発明の効果】
【００１０】
本発明の冷蔵庫は給水動作がし易く、食品収納スペースをとらずに貯水タンクを設けることが出来るとともに、収納した水の冷却速度の速い給水器付き冷蔵庫を提供することができる。
【発明を実施するための最良の形態】
【００１１】
請求項１に記載の発明は、直冷式の冷却器を備えた本体と、開閉自在の冷蔵庫扉と、前記冷蔵庫扉の内側の上棚部に設けた貯水タンクと、冷蔵庫扉の外側に設けた給水器と、その間を接続する給水パイプを備え、貯水タンクと扉内面の断熱壁とが接触しない様に隙間を設けて、冷気を対流させるものであり、冷気が対流し、また貯水タンク全面から冷却することができるので水の冷却速度が速く、またコストの安い給水器付き冷蔵庫を提供できる。
【００１２】
請求項２に記載の発明は、請求項１に記載の発明において、貯水タンクの側面に凹凸部を設けて、扉内面の断熱壁との間に隙間を設けると共に、貯水タンクの表面積を広げたものであり、さらに冷却速度を速くすることができる。
【００１３】
請求項３に記載の発明は、請求項２に記載の発明において、貯水タンクの底面を外から中へ向かって傾斜させ、貯蔵水量が減ったときには収納した水が庫内側に残るようにしたものであり、さらに冷却速度を速くすることができる。
【００１４】
請求項４に記載の発明は、請求項１に記載の発明において、貯水タンクに冷気対流用の貫通穴を設けて、冷気の対流を促進・表面積を増加させたものであり、さらに冷却速度を速くすることができる。
【００１５】
請求項５に記載の発明は、請求項４に記載の発明において、貯水タンクの冷却器側の外側面に水平方向のリブを設けて、冷気が貯水タンクに近傍に滞留した後に、下部の庫内棚を冷却するものであり、さらに冷却速度を速くすることができる。
【００１６】
請求項６に記載の発明は、請求項５に記載の発明において、貯水タンクの直下の扉棚と、露受け皿との間隔を他の棚間より小さくし、冷気が貯水タンクに近傍に滞留した後に、下部の庫内棚を冷却するものであり、さらに冷却速度を速くすることができる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の斜視図、図２は同実施の形態における要部断面図ある。
【００１９】
図１から図２において、冷蔵庫本体１３は前面の開口を開閉自在に取付けられた扉１４を有し、扉１４は外板１５と扉内棚１６に囲まれた空間内に、断熱材１７を充填して形成される。扉１４の外板１５の前面部には、給水器１８が設置され、扉内棚１６には貯水タンク１９が設置されている。また、扉１４の前面に給水器１８が設置され、貯水タンク１９と給水器１６は給水パイプ２０で直接に接続されている。冷蔵庫本体９の庫内の上部には、所謂送風機を持たない直冷式の冷却器２１が設けられて、庫内を冷却し、冷却器２１の下部に露受け皿２２がついている。
【００２０】
扉１４の前面に取付けられた給水器１８は、その近傍に設けられた給水レバー８を操作することにより、貯水タンク１９内の水が給水パイプ２０を通って低い位置にある給水器６から供給されることとなる。扉内棚１６の上部には貯水タンク１９が扉１４の内面に接触しないように適当な間隔２３をおいて設置され、貯水タンク１９の上部には蓋２４が装着されて、蓋１９には注水口２５が設けられ、脱着自在のキャップ２６が設置されている。
【００２１】
以上のように構成された冷蔵庫について、以下その動作、作用を説明する。
【００２２】
まず、冷蔵庫内の扉内棚１６の上部に設けた貯水タンク１９の注水口２４のキャップ２５を外して飲料水を入れ、冷蔵庫内で冷却する。
【００２３】
冷蔵庫の貯水タンク１９は、冷却器１０で冷やされた冷気で、注水した水が冷やされ、低温で貯蔵出来る事となる。このとき、貯水タンク１９が扉内棚１６に接触して冷蔵庫外部から断熱材１７介しての熱侵入により冷却が阻害され、冷却速度が遅いだけでなく、最終的な保存温度も高く成ってしまうので、前述の如き適当な間隔を確保している。
【００２４】
給水器１８の近傍に設けた給水レバー８を押すと、冷蔵庫の扉１４を開閉しなくても給水パイプ２０を通って、貯水タンク１９内から冷蔵庫内で冷やされた冷たい水が出てくる。 また、給水レバー８を押すのを止めると、水が止まる。また、長期間使っているうちに、貯水タンク１９内が水垢で汚れると、冷蔵庫の扉内棚１６から貯水タンク１９を外して、更に貯水タンク１９から蓋２３を外し、またキャップ２４を外すことにより、隅々まで容易に洗浄出来、清潔に保つことが出来る。
【００２５】
（実施の形態２）
図３は、本発明の実施の形態２における冷蔵庫の要部斜視図である。
【００２６】
図３において、貯水タンクの側面に凹凸部２７を設けることにより実施例１に示した間隔２３を確保すると同時に、貯水タンク１９の表面積を大きくすることができ、従って内部の水の冷却が速くなるという効果が同時に得られる。
【００２７】
（実施の形態３）
図４は、本発明の実施の形態３における冷蔵庫の要部縦断面図である。
【００２８】
図４において、貯水タンク１９の底面を外側から内側へ向かって低く形成する事により、貯水量が減ったときに水の位置が扉の内面から離れるだけでなく冷却器２１に近づくこととなり、より低い温度に保存出来る。
【００２９】
（実施の形態４）
図５は、本発明の実施の形態４における冷蔵庫の要部縦断面図である。
【００３０】
図５において、貯水タンク１９に貫通穴２８を設けることにより冷気の滞留が促進され、同時に貯水タンク１９の表面積が増加できるので、貯水タンク１９内の水を低温とする事ができる。
【００３１】
（実施の形態５）
図６は、本発明の実施の形態５における冷蔵庫の要部縦断面図である。
【００３２】
図６において、貯水タンクの冷却器２１側の外側面に水平方向のリブ２９を設けることにより、冷却器２１と貯水タンク１９の隙間を狭く構成し、冷気が貯水タンク１９の近傍に滞留した後に下部の棚を冷却するようにすれば、更に水を冷たく保存出来る。
【００３３】
（実施の形態６）
図７は、本発明の実施の形態６における冷蔵庫の要部縦断面図である。
【００３４】
図７において、貯水タンク１９の直下の扉棚３０と露受け皿２２の間隔を他の棚間よりも狭く構成しても、貯水タンク１９の近傍を冷たくすることが出来る。
【産業上の利用可能性】
【００３５】
以上のように、本発明にかかる冷蔵庫は、給水機構が簡単で、構成部品点数が少なく、低コストで、清掃性の良い、安い給水器付き冷蔵庫の提供が可能となるばかりでなく、貯水タンク内の水をより速く・冷たく保存出来るので、冷水器の用途にも活用できる。
【図面の簡単な説明】
【００３６】
【図１】本発明の実施の形態１における冷蔵庫の正面図
【図２】同実施の形態における要部断面図
【図３】本発明の実施の形態２における冷蔵庫の要部斜視図
【図４】本発明の実施の形態３における冷蔵庫の要部縦断面図
【図５】本発明の実施の形態４における要部横断面図
【図６】本発明の実施の形態５における要部横断面図
【図７】本発明の実施の形態６における要部横断面図
【図８】従来の給水器付き冷蔵庫の断面図
【符号の説明】
【００３７】
１４    扉
１６    扉内棚
１７    断熱材
１８    給水器
１９    貯水タンク
２０    給水パイプ
２１    冷却器
２２    露受け皿
２３    間隔
２７    凹凸部
２８    貫通穴
２９    リブ
３０    扉棚
【図１】
2006064240.tif 000003
【図２】
2006064240.tif 000004
【図３】
2006064240.tif 000005
【図４】
2006064240.tif 000006
【図５】
2006064240.tif 000007
【図６】
2006064240.tif 000008
【図７】
2006064240.tif 000009
【図８】
2006064240.tif 000010